【手続補正書】
【提出日】平成22年8月24日(2010.8.24)
【手続補正１】
【補正対象書類名】特許請求の範囲
【補正対象項目名】全文
【補正方法】変更
【補正の内容】
【特許請求の範囲】
【請求項１】
a)Ni(II)と、
b)Ni(II)と共にLεMLCを形成する第1のリガンドと、
c)Ni(II)と共にHεMLCを形成する第2のリガンドと、
d)ポリマーと
を含むサーモクロミック系であって、固体または半固体層の形態をしており、前記系の温度が上昇するときに400nmから1400nmの範囲の光エネルギー吸収の可逆的純増加を示すサーモクロミック系。
【請求項２】
UV吸収剤、ヒンダードアミン系光安定剤、熱安定剤、及び可塑剤の少なくとも1つをさらに含む、請求項１に記載のサーモクロミック系。
【請求項３】
可塑剤を含み、前記可塑剤が、以下の構造:
【化１】
2010502789.tif 000001
(式中、Xは、NまたはPであり、R1、R2、R3及びR4は、独立して直鎖、分枝の置換または非置換アルキル;置換または非置換アリール;置換または非置換アラルキル及びそれらの組合せからなる群から選択される)を有するカチオンである、請求項１に記載のサーモクロミック系。
【請求項４】
固体または半固体層のヘイズレベルが5%より低い、請求項１に記載のサーモクロミック系。
【請求項５】
固体層のヘイズレベルが、温度80℃の黒いパネルを備えたチャンバー中のキセノンアーク灯から340nmで1平方メートル当たり0.55ワットへの500時間の暴露後、10%より低い、請求項４に記載のサーモクロミック系。
【請求項６】
第1のリガンドが、ポリマー、ジオール類、トリオール類、ポリオール類及びそれらの組合せからなる群から選択されたLεLを含む、請求項１に記載のサーモクロミック系。
【請求項７】
第1のリガンドが、ヒドロキシル基を含み、第2のリガンドの濃度対Ni(II)([HεLΤ]/[Ni(II)Τ])の濃度の比が4より大きい、請求項１に記載のサーモクロミック系。
【請求項８】
吸収増加が、400nmと640nmの間のλmaxをもつ吸収ピークのNi(II)のHεMLCの形成のためである、請求項１に記載のサーモクロミック系。
【請求項９】
Ni(II)の全体濃度が、ポリマー1キログラム当たり約0.04モルと0.4モルの間のNi(II)である、請求項１に記載のサーモクロミック系。
【請求項１０】
ポリマー中にNi(II)を含むサーモクロミック系であって、前記系の温度が上昇するとき、Ni(II)の配位化合物中のNi(II)の配位の変化のために、400nmから1400nmの範囲において吸収するその能力の可逆的な純増加を有するサーモクロミック系。
【請求項１１】
前記系が、ジオール、トリオールまたはポリオールをさらに含み、前記配位化合物が、前記Ni(II)に、窒素、リンまたは硫黄を介して配位しているリガンドを含む、請求項１０に記載のサーモクロミック系。
【請求項１２】
25℃の前記系の吸収度が、400nmから1400nmの範囲を通して約0.3未満である、請求項１０に記載のサーモクロミック系。
【請求項１３】
ホスフィンリガンドをさらに含み、前記系の温度が上昇するときに前記系の可視及び/またはNIR範囲の光エネルギーを吸収する能力の可逆的な純増加が、温度が上昇するときの前記ホスフィンリガンドと前記Ni(II)との間の配位化合物の濃度の可逆的増加のためである、請求項１０に記載のサーモクロミック系。
【請求項１４】
ヨウ化物イオンをさらに含み、前記系の温度が上昇するときに前記系の可視及び/またはNIR範囲の光エネルギーを吸収する能力の可逆的な純増加が、温度が上昇するときの前記ヨウ化物イオンと前記Ni(II)との間の配位化合物の濃度の可逆的増加のためである、請求項１０に記載のサーモクロミック系。
【請求項１５】
ホスフィン化合物をNi(II)イオンの濃度より低い濃度でさらに含む、請求項１４に記載のサーモクロミック系。
【請求項１６】
ホスフィンリガンド及びヨウ化物イオンをさらに含み、前記系の温度が上昇するときに前記系の400nmから1400nmの範囲の光エネルギーを吸収する能力の可逆的な純増加が、温度が上昇するときのNi(II)とヨウ化物及び前記ホスフィンリガンドの両方との間の配位化合物の濃度の可逆的増加のためである、請求項１０に記載のサーモクロミック系。
【請求項１７】
a)Ni(II)と、
b)ハライドがCl-、Br-、I-及びそれらの組合せからなる群から選択される擬ハライドまたはハライドを含む第1のリガンドと、
c)窒素含有リガンド、リン含有リガンドまたは硫黄含有リガンドを含む第2のリガンドと
を含むサーモクロミック系であって、前記系の温度が上昇するときに400nmから1400nmの範囲の光エネルギーを吸収するその能力の可逆的純増加を有するサーモクロミック系。
【請求項１８】
前記吸収度の純増加が、Ni(II)、前記第1のリガンド及び前記第2のリガンドの間の配位化合物の濃度の増加によるものである、請求項17に記載のサーモクロミック系。
【請求項１９】
第1及び第2のサーモクロミック層を含むサーモクロミック装置であって、
各サーモクロミック層が、それぞれ、ポリマー、少なくとも1つの遷移金属イオン、遷移金属イオンと共にHεMLCを形成することができる少なくとも1つのHεLリガンド、及び遷移金属イオンと共にLεMLCを形成することができる少なくとも1つのLεLリガンドを含有し、
各層が、前記層の温度が上昇するとき、可視及び／またはNIR範囲の光エネルギー吸収度の可逆的純増加を示し、上昇した温度において、可視及び／またはNIR範囲の部分に対する前記第1の層内のHεMLCの前記光エネルギー吸収度が、前記第2の層内のHεMLCの前記光エネルギー吸収度より大きいサーモクロミック装置。
【請求項２０】
前記サーモクロミック層の少なくとも1つが、可視範囲内の光エネルギー吸収度の純増加を示す、請求項１９に記載の装置。
【請求項２１】
前記サーモクロミック層の少なくとも1つが、NIR範囲内の吸収度の純増加を示す、請求項１９に記載の装置。
【請求項２２】
前記第1と第2のサーモクロミック層の間に前記層の内容物の混合を防止するための分離帯を追加的に含む、請求項１９に記載の装置。
【請求項２３】
前記分離帯が、励起される1つまたは複数の面を有する、請求項２２に記載の装置。
【請求項２４】
25℃における前記装置の吸収度が、可視及びNIR範囲を通して約0.3未満であり、85℃における前記装置の吸収度が、可視またはNIR範囲内の或る波長で約0.8より大きい、請求項２２に記載の装置。
【請求項２５】
前記遷移金属イオンが、ポリマー1キログラム当たり約0.02モルと0.4モルの量で存在する、請求項１９に記載の装置。
【請求項２６】
前記サーモクロミック層が、25℃で約70%より大きく、85℃で約15%未満のYで、25から85℃の温度範囲を通して約25未満のc*を示す、請求項１９に記載の装置。
【請求項２７】
前記サーモクロミック層が、25から85℃の範囲を通して約20未満のc*及び25℃で約75%より大きく、85℃で約15%未満のYを示す、請求項１９に記載の装置。
【請求項２８】
第3のサーモクロミック層を含み、前記サーモクロミック層が、25から85℃の範囲を通して約15未満のc*及び25℃で約80%より大きく、85℃で約15%未満のYを示す、請求項１９に記載の装置。
【請求項２９】
前記サーモクロミック層が、25℃で、青、緑または青銅色の外観及び85℃で20未満のc*を有する、請求項１９に記載の装置。
【請求項３０】
前記サーモクロミック系が、400から700nmの範囲の各波長で、25℃において約0.2以下の吸収度及び85℃において約0.8以上の吸収度を示す、請求項１９に記載の装置。
【請求項３１】
前記サーモクロミック層の少なくとも1つが、2種類以上のHεLを含有し、その少なくとも1つが、ハライド、擬ハライド、ホスフィン、またはホスフィネートである、請求項１９に記載の装置。
【請求項３２】
前記サーモクロミック層の少なくとも1つが、ポリ(ビニルブチラール)の層中に、ジオール、トリオール、またはポリオールのLεLを含有し、前記層が、1重量%未満の水を含有する、請求項１９に記載の装置。
【請求項３３】
前記遷移金属イオンが、Ni(II)及び／またはCo(II)を含む、請求項１９に記載の装置。
【請求項３４】
NIR吸収度が、ヨウ化物とCo(II)イオンとの錯体によって提供され、サーモクロミック活性が、ヨウ化物とNi(II)イオンとの錯体の濃度の増加によって提供される、請求項１９に記載の装置。
【請求項３５】
各サーモクロミック層がNi(II)及びハライドを含む、請求項１９に記載の装置。
【請求項３６】
前記分離帯層が、ポリ(メチルメタクリレート)、ポリ(エステル-テレフタレート)、ポリカーボネート、ポリ(4-メチル-l-ペンテン)、ポリ(ビニルプロピオネート)、ポリ(ビニルアセテート)、ポリ(ビニルメチルエーテル)、ポリ(エチレンスクシネート)、セルロースアセテートブチレート、セルロースアセテート、エチレン／ビニルアセテートコポリマー、エチルセルロース、ポリ(メチルアクリレート)、ポリ(オキシメチレン)、ポリ(n-ブチルメタクリレート)、ポリ(メチルメタクリレート)、イソタクチックポリプロピレン、メチルセルロース、ポリ(ビニルアルコール)、ポリ(ビニルメチルケトン)、ポリ(エチレングリコールジメタクリレート)、ポリ(イソブチレン)、及びポリエチレンから選択される、請求項２２に記載の装置。
【請求項３７】
前記ポリマーが、ポリ(ビニルブチラール)、ポリ(ヒドロキシエチルメタクリレート)、ポリ(l-グリセロールメタクリレート)、ヒドロキシアルキルセルロース、ウレタン類、ポリ(2-エチル-2-オキサゾリン)、ポリ(N-ビニルピロリドン)、ポリ(エチレン-co-ビニルアルコール)、ポリ(ビニルメチルエーテル)、ポリ(ビニルブチラール-co-ビニルアルコール-co-ビニルアセテート)、ポリアクリルアミド、ポリ(N,N-ジメチルアクリルアミド)、ポリビニルピリジン類及び前記ポリマー官能性を含むコポリマー類から選択される、請求項１９に記載の装置。